(57)【要約】【課題】配布された印刷物に書かれた画像や文字情報は固定であり、更に名刺など規格サイズの印刷物には、印刷できるスペースに限りがあるのに対し、これらに追加情報を加えることができ、更に自在に変更する事を可能とする。【解決手段】本発明は、サーバーに登録された配布者の画像や文字情報を閲覧するためのＵＲＬのＱＲコード入りの印刷物を印刷装置で作成し配布することで、印刷物の受取人はＱＲコード読み取り機能を持つ携帯電話機を使用しＱＲコードを読み取り、サーバーへアクセスし配布者が登録した情報を閲覧することが出来るシステム及び方法を提供する。【選択図】  図２
2006085658.tif 000002
【特許請求の範囲】
【請求項１】
本発明は、サーバーに登録された配布者の画像や文字情報を閲覧するためのＵＲＬのＱＲコード入りの印刷物を印刷装置で作成し配布することで、印刷物の受取人はＱＲコード読み取り機能を持つ携帯電話機を使用しＱＲコードを読み取り、サーバーへアクセスし配布者が登録した情報を閲覧することが出来るシステム及び装置に関する。
【請求項２】
請求項１において、画像や文字情報を登録するための手段としては携帯電話機からサーバへのメール送信を利用し、メール内容によって、添付画像がある場合は画像登録を行い、本文があれば文字情報の登録を行い、本文並びに添付画像が含まれない場合は登録済みの画像や文字情報を削除することが出来る特徴を持つ。
【請求項３】
請求項２において、特定アドレスへ設定用のメールを送信することにより、画像や文字情報、配布者のメールアドレスなどの情報の公開の可否の設定、または情報公開ページのデザインの変更を行うことが出来る特徴を持つ。
【請求項４】
請求項３において、設定状態の表示及び、設定用のメールの送信先を集約した管理ページをサーバー上に用意することが出来る特徴を持つ。
【請求項５】
請求項２、請求項３、請求項４において使用される、画像や文字情報の登録及び、設定用のメールアドレス及び、管理ページのＵＲＬがＱＲコードで示された説明書を配布用の印刷物と同時に印刷できる特徴を持つ。
【請求項６】
利用者が印刷装置を利用する毎に重複しないＩＤが発行され、このＩＤを元に請求項２、請求項３、請求項４において使用されるメールアドレスやＵＲＬが生成される特徴を持つ。
【請求項７】
請求項６において、印刷装置が発行するＩＤは、未登録のＩＤや他のユーザのＩＤを第三者による不正利用から保護する為、ＩＤ自体にチェックサムを入れ、かつ暗号化する事によってセキュリティを保つ特徴を持つ。
【請求項８】
請求項３において、情報公開ページへの設定操作をメール送信に限定し、かつ携帯電話キャリアのメールサーバーを経由して送信されたメールに限定する事で、Ｆｒｏｍヘッダを安易に変更できる環境からのアクセスを遮断する事によって、設定操作目的で送信されたメールのＦｒｏｍヘッダによる個人の識別を可能とし、利用者にログイン名やパスワード等を要求する事無く本人認証できる特徴を持つ。
【請求項９】
請求項４において、サーバー上の各閲覧用ウェブページ、管理用ウェブページに広告などを掲載する事によって、広告収入を得る事が出来る特徴を持つ。
【請求項１０】
請求項１において、前記印刷装置を商業施設内に設置し、課金ユニットをつける事でキオスク機として料金を徴収する事が出来る特徴を持つ。
【発明の詳細な説明】
【技術分野】
【０００１】  本発明は、利用者が配布したい印刷物に、ＵＲＬの入ったＱＲコード追加する事によって、サーバーに変更可能な画像や文字情報等と連携する事を可能とする事で、印刷物に追加情報を与える事ができる技術及び方法に関する。
【背景技術】
【０００２】  近年、携帯電話機の性能や機能は増加の一途にあり、デジタルカメラの搭載、ＱＲコードの読み込み機能など、利用者に多大な便宜を供与しているといえる。【０００３】  また、元来、印刷物とは、印刷した時点で情報は固定されるものである。
【発明が解決しようとする課題】
【０００４】  名刺など規格サイズの印刷物には、印刷できるスペースに限りがあり、それ以上の画像や文字情報などを追加する事は不可能であり、規格サイズの印刷物には、そのサイズを越えた情報内容を追加したい用途が考えられる。
【０００５】  元来、配布された印刷物に書かれた画像や文字情報は固定であり、時間と共に印刷物に書かれた情報の価値が変動し、場合によっては無価値な存在になってしまう為、時期と共に情報内容を変更する用途が考えられる。
【０００６】  本発明は上記課題に鑑みてなされたものであり、請求項１のシステム及び装置を可能とする。
【課題を解決するための手段】
【０００７】
【０００８】  請求項１において、ＱＲコードを発行可能な印刷装置を任意の場所に設置し、インターネット上でウェブサイトとしてサーバーを設置し、かつ利用者がメールに画像の添付可能な携帯電話機を用意する事でＱＲコード発行後、情報公開に必要な情報を通信可能とする。
【０００９】  請求項３、請求項４において、ウェブ閲覧機能を搭載し画像をメールで送信できる機能を搭載し、かつＱＲコードを読み取る事ができるカメラ付き携帯電話機を用い、印刷装置から発行されたＱＲコードを読み取る事によって得られたメールアドレス宛てに送信する事によって、サーバーに文字情報や画像の管理を行う事を可能とする。
【００１０】  請求項３、請求項８における、設定用メールアドレスは、その一部にＩＤを含ませたものであり、送信時にサーバー側でメールアドレスからＩＤを取得し、そのＩＤの正当性をチェックサムで検証し、正当であればＩＤが未登録時、つまりは未使用時には、送信元のメールアドレスを本発明のシステムのユーザとして認識し、そのメールアドレスを記録し、ＩＤが登録済みの場合は登録時の送信元のアドレスと比較しユーザ認証を行う。
【００１１】  また、送信元のメールアドレスを捏造できる環境からの送信をブロックするため、携帯電話キャリアからの配信のみを設定用メールとして受理する。
【発明を実施するための最良の形態】
【００１２】  本発明のシステムを用いて、配布物として名刺としＱＲコード付きの名刺を構成例として示す。【００１３】  図１は、上記システム例のチャートを示す。【００１４】  図２は、上記システム例の構成を示し、図中、（１３）は本発明のキオスク機構成例であり、（１１）は本発明構成例のＱＲコード付き名刺であり、（１９）は本発明の画像や文字情報の編集や、閲覧用ＱＲコードのアクセス先のサーバーを示す。【００１５】  図３は、本実施例の印刷サンプルを示し、（２３）は閲覧用のＱＲコードの入った名刺であり、（２４）は管理用ＱＲコードを印刷したカードを示す。【００１６】  利用者は本発明のＱＲコード入りキオスク機を操作しＱＲ入り名刺を作成する。（１）、（２）、（１６）【００１７】  キオスク機では、ＩＤをチェックサム機能を盛り込み、それを元に生成した、閲覧用ＵＲＬ、編集用メールアドレスと、場合によっては請求項６より管理用ＵＲＬを生成し、ＱＲコードのイメージに、閲覧用ＱＲコードを名刺に、管理用ＱＲコードを別のカードに印刷する。（３）、（４）、（１２）【００１８】  管理用ＱＲコード（２３）をＱＲコードリーダ付きの携帯電話機で読み込み、取得したメールアドレスに、画像を添付する事で画像登録を行い、また、本文にメッセージを記述することでメッセージ登録を行い、削除したい場合には、空のメールを送信し編集をする。（６）、（１４）、（１５）、（１７）、（１８）【００１９】  本発明キオスク機の利用者より、編集用メールアドレスで届いたメールはＩＤ部のチェックサムを検証し、正当なＩＤであれば、そのＩＤが既出のＩＤか調べ、未使用であれば、その送信元のアドレスを記憶し、そのメール送信者を本発明の利用者として登録し、発行後のＩＤであれば、登録済みの送信元のアドレスと比較をしユーザー認証を行い、正当であれば、編集を実行する。但し、送信元は携帯電話機キャリアのサーバーを経由している事を条件とし、パーソナルコンピュータなど送信元のメールアドレスを安易に変更できてしまう環境からの送信はブロックする。（５）、（７）【００２０】  請求項６のように管理ページを儲ける場合は、管理用ＱＲコードを２つ設け、編集用のメールアドレスだけではなく、管理用のＵＲＬを儲け、詳細な設定などを項目をリンク化し、多数のその項目別の編集用メールアドレスなどを設け、編集することも可能である。【００２１】  本発明のキオスク機の利用者は配布用ＱＲコード付き名刺（２３）を配布し、配布された側は、名刺に付属するＱＲコードを読み取る事で取得したＵＲＬを参照し、配布者の意図する画像や文字情報を閲覧する。（９）、（１０）（２０）、（２１）、（２２）
【発明の効果】
【００２２】  印刷した情報は時間と共に変更できないが、ＱＲコードにＵＲＬが入力されており、利用者に編集する機能を提供する事によって、利用者の意図する時期によって内容を変更する事が可能になる。
【００２３】  また利用者が編集する際に、その手続を編集用メールアドレスで全て行う事から、ユーザ認証の際にログイン名やパスワードなどの必要が無く、利用者はこれらを管理する必要が一切無くなる。
【００２４】  必要な入力事項、ＵＲＬ入力や編集用メールアドレスなどは、ＱＲコードを採用することによって、携帯電話機からの文字入力などの手間を省く事が出来、編集などの操作の大幅な時間短縮が可能となる。
【００２５】  また、編集に用いられるメールアドレスは、サーバーから返信の必要性が無い為、利用者が任意に迷惑メールなどの対策で設定しているドメイン指定受信、拒否等の設定を考慮する必要がなく、安易に本発明を利用する事が可能となる。
【図面の簡単な説明】
【図１】本システムのチャートを示す。
【図２】本システムの構成例を示す。
【図３】本発明による印刷例を示す。
【図１】
2006085658.tif 000003
【図２】
2006085658.tif 000004
【図３】
2006085658.tif 000005